(57)【特許請求の範囲】
【請求項１】
基板が収容された基板ケースと、前記基板に実装されたコネクタを覆うコネクタカバーと、を備えた遊技機であって、
前記基板ケースは、
前記基板に実装されたコネクタに対応する位置に設けられた、前記コネクタを通すための開口であるコネクタ孔と、
前記コネクタ孔が形成されるとともに、前記コネクタカバーが嵌入可能な大きさに凹設された凹部とを有し、
前記コネクタカバーは、前記凹部の側面に係止する少なくとも二つの係止部を有し、
一の前記係止部である第一係止部が、前記コネクタカバーにおける一の側面に形成されるとともに、前記凹部における一の側面に形成された第一被係止部に係止し、
他の一の前記係止部である第二係止部が、前記コネクタカバーにおける前記一の側面とは反対側の側面に形成されるとともに、前記凹部における他の側面に形成された第二被係止部に係止し、
前記コネクタカバーの前記第一係止部が前記凹部の前記第一被係止部に係止し、前記コネクタカバーの前記第二係止部が前記凹部の前記第二被係止部に係止して、当該コネクタカバーが前記基板ケースから取り外し不能に装着された状態で、前記コネクタカバーの所定の位置に設けられた切断部又は破壊容易部を切断又は破壊することにより、前記コネクタカバーが前記基板ケースから取り外し可能となる
ことを特徴とする遊技機。
【請求項２】
前記コネクタカバーの前記第一係止部は、前記凹部における一の側面に形成された孔状又は凹状の前記第一被係止部に係止し、
前記コネクタカバーの前記第二係止部は、前記凹部における前記他の側面に形成された孔状又は凹状の前記第二被係止部に弾性変形しながら挿入されて、当該第二被係止部に係止する
ことを特徴とする請求項１記載の遊技機。
【請求項３】
前記コネクタカバーの前記第二係止部は、当該コネクタカバーにおける前記反対側の側面から外方へ延設された延設部を有し、
前記延設部は、前記凹部の前記第二被係止部に挿入される際に弾性変形する弾性変形部を有し、
前記コネクタカバーが前記凹部に装着された状態で当該コネクタカバーの前記延設部における前記凹部の底部に近接した部分に当接する当接部が、前記凹部の前記底部に形成されており、
前記コネクタカバーが前記凹部に装着されるとともに、前記コネクタカバーの前記延設部が前記凹部の前記第二被係止部に挿入されて係止した状態で、これらコネクタカバーの延設部と凹部の第二被係止部との間に特定の部材が挿入されて前記延設部の前記弾性変形部が弾性変形しようとしたときに、当該延設部が、弾性変形しようとする方向に位置する前記当接部に当接することで、前記当接部は、それ以上の弾性変形を阻止して、前記コネクタカバーを取り外す行為を防止する
ことを特徴とする請求項１又は２記載の遊技機。
【請求項４】
前記コネクタカバーは、当該コネクタカバーの底部に突設された突出部を有し、
前記凹部は、当該凹部に前記コネクタカバーが装着された場合に前記突出部が接触又は近接する箇所に形成された移動防止壁を有し、
前記コネクタカバーが前記凹部に装着されて、当該コネクタカバーの前記第一係止部が前記凹部の前記第一被係止部に係止するとともに、当該コネクタカバーの前記第二係止部が前記凹部の前記第二被係止部に係止した状態で、当該コネクタカバーが前記凹部の前記第一被係止部又は前記第二被係止部に向かう方向に移動しようとしたときに、当該コネクタカバーの前記突出部が前記凹部の前記移動防止壁に接触して、前記移動を制限する
ことを特徴とする請求項１〜３のいずれかに記載の遊技機。
【請求項５】
前記コネクタカバーの前記第一係止部が、
当該コネクタカバーにおける一の側面から直交方向外方へ延設された板状の延伸部と、
この延伸部の端部から直交方向上方に屈曲形成された鉤状部とを有し、
当該コネクタカバーには、前記一の側面に前記第一係止部が二つ形成されるとともに、これら二つの第一係止部の間に、当該側面の下辺から上辺へ向かう方向に切り欠かれた切り欠きが形成され、
前記基板ケースは、前記凹部における前記第一被係止部が形成された側面を起点とし、当該凹部から外方へ向かって溝状に形成されたケーブル用溝を有し、
前記コネクタカバーが前記凹部に装着された場合に、前記ケーブル用溝の上方に前記切り欠きが位置するとともに、前記コネクタカバーの内部に位置する前記コネクタに接続されたケーブルが、前記コネクタカバーの前記切り欠きを通して当該コネクタカバーの内部から外部に引き出されるとともに、前記ケーブル用溝に収納される
ことを特徴とする請求項１〜４のいずれかに記載の遊技機。
【請求項６】
前記コネクタカバーが前記凹部に装着された状態で、当該コネクタカバーの内部に位置する前記コネクタが実装された前記基板の上面から前記コネクタカバーに形成されている前記切り欠きの切り欠き方向上辺までの高さが、前記基板の上面から前記コネクタの上面までの高さよりも低くなっている
ことを特徴とする請求項５記載の遊技機。
【請求項７】
前記基板に、前記コネクタが複数実装され、
前記基板ケースにおける一つの前記凹部の内部に、二以上の前記コネクタが露出し、
前記コネクタカバーが、複数の前記コネクタを覆うことが可能な大きさに形成されており、
当該コネクタカバーを前記一の凹部に装着することで、前記一の凹部の内部で露出した前記複数のコネクタを当該一のコネクタカバーにより覆い隠す
ことを特徴とする請求項１〜６のいずれかに記載の遊技機。
【発明の詳細な説明】
【技術分野】
【０００１】
本発明は、コネクタカバーを備えた遊技機に関する。
【背景技術】
【０００２】
一般に、スロットマシンやパチンコ機等の遊技機には、ゲーム性に関与する複数の制御基板が設けられている。
これらの制御基板の中には、遊技の進行を制御する主制御基板や、遊技の進行に伴って所定の演出を実現する副制御基板などが含まれている。
これらの制御基板は、プリント基板上にＣＰＵ，ＲＯＭ，ＲＡＭ等の種々の電子部品が配置されたコンピュータとして構成されている。
このような制御基板は、遊技の進行を左右することから、不正改造の対象となり易く、そのために、当該制御基板を透明な二つのケースの間に挟んで収容するとともに、さらに、このケースを開封不能に封止している。
【０００３】
ところが、近年では、制御基板を収容したケースを開けることなく、回路基板と諸装置とを接続するケーブルのコネクタを脱抜して、ここに不正基板等の不正部品を取り付けたり、正規な基板を不正改造基板に交換したりする不正行為が行われることがある。
そこで、これら不正行為を防止するための改良技術が種々提案されている。
例えば、基板ケースにおいて、コネクタを露出させるために開口形成されたコネクタ孔の直近に、先端鉤状の爪部を有する板状又は棒状の突設部を立設形成し、その爪部をコネクタの上面に係止することで、コネクタを脱抜不能とする技術が提案されている（例えば、特許文献１参照。）。
この技術によれば、突設部の係止によりコネクタが脱抜できないため、不正基板等の不正部品の接続を防止できる。
【０００４】
また、底面に開口を有する中空直方体状のコネクタカバーを形成し、このコネクタカバーの一の側面に、この側面から直交方向外方に向かって立設した板状の連結体を形成し、この連結体の下辺にＶ字状の被係合部を形成し、一方、基板ケースにおいてコネクタを通すコネクタ孔の近傍に、上面に開口を有する係合部を形成し、この係合部の上面開口に対してコネクタカバーのＶ字状の被係合部を挿入することで、コネクタカバーを基板ケースに固定する技術が提案されている（例えば、特許文献２参照。）。
この技術によれば、コネクタカバーのＶ字状の被係合部が弾性変形しながら基板ケースの係合部に挿入され、Ｖ字状の返し部先端が係合部である開口を通過すると、弾性変形が解除されて、そのＶ字状の返し先端が開口の下面の周縁に係止するため、コネクタカバーが脱抜不能となる。そして、コネクタカバーが脱抜不能となることで、コネクタへのアクセスが不能となることから、コネクタに対して不正部品を取り付けるなどの行為を阻止できる。
【先行技術文献】
【特許文献】
【０００５】
【特許文献１】特開２００３−１６９９４３号公報
【特許文献２】特開２００９−１２５０８５号公報
【発明の概要】
【発明が解決しようとする課題】
【０００８】
本発明は、コネクタカバーを備えた遊技機の提供を目的とする。
【課題を解決するための手段】
【０００９】
この目的を達成するため、本発明の遊技機は、基板が収容された基板ケースと、基板に実装されたコネクタを覆うコネクタカバーと、を備えた遊技機であって、基板ケースは、基板に実装されたコネクタに対応する位置に設けられた、コネクタを通すための開口であるコネクタ孔と、コネクタ孔が形成されるとともに、コネクタカバーが嵌入可能な大きさに凹設された凹部とを有し、コネクタカバーは、凹部の側面に係止する少なくとも二つの係止部を有し、一の係止部である第一係止部が、コネクタカバーにおける一の側面に形成されるとともに、凹部における一の側面に形成された第一被係止部に係止し、他の一の係止部である第二係止部が、コネクタカバーにおける一の側面とは反対側の側面に形成されるとともに、凹部における他の側面に形成された第二被係止部に係止し、コネクタカバーの第一係止部が凹部の第一被係止部に係止し、コネクタカバーの第二係止部が凹部の第二被係止部に係止して、当該コネクタカバーが基板ケースから取り外し不能に装着された状態で、コネクタカバーの所定の位置に設けられた切断部又は破壊容易部を切断又は破壊することにより、コネクタカバーが基板ケースから取り外し可能となる構成としてある。
【図面の簡単な説明】
【００１１】
【図１】本発明の実施形態におけるスロットマシンの構成を示す概略正面図である。
【図２】本発明の実施形態におけるスロットマシンの内部構成を示す斜視図ある。
【図３】本発明の実施形態におけるスロットマシンの制御系の構成を示すブロック図である。
【図４】副制御部の制御基板を収容した基板ケースと、コネクタと、コネクタカバーの構成を示す外観斜視図である。
【図５】基板ケースにおいて凹部が形成された部分の構成を示す要部拡大図である。
【図６】基板ケースの構成を示す断面図であって、（ｉ）は基板ケースの凹部の断面図（Ａ−Ａ断面図）、（ii）は基板ケースの凹部の断面図（Ｂ−Ｂ断面図）である。
【図７】コネクタカバーの構成を示す図であって、（ｉ）は上面図、（ii）は正面図、（iii）は左側面図、（iv）は背面図である。
【図８】基板ケースの凹部にコネクタカバーを装着する前の状態を示す外観斜視図である。
【図９】コネクタカバーの突設部（第一係止部）を凹部の被係合孔に挿入した状態を示す外観斜視図である。
【図１０】コネクタカバーの延設部（第二係止部）の下面を着地させた状態を示す外観斜視図である。
【図１１】基板ケースの凹部にコネクタカバーの延設部（第二係止部）の下面を着地させた状態を示す断面図であって、（ｉ）は基板ケースの凹部及びコネクタカバーの断面図（Ａ−Ａ断面図）、（ii）は基板ケースの凹部及びコネクタカバーの断面図（Ｂ−Ｂ断面図）である。
【図１２】基板ケースの凹部の被係合孔にコネクタカバーの延設部（第二係止部）を係合させる途中の状態を示す断面図であって、（ｉ）は基板ケースの凹部及びコネクタカバーの断面図（Ａ−Ａ断面図）、（ii）は基板ケースの凹部及びコネクタカバーの断面図（Ｂ−Ｂ断面図）である。
【図１３】基板ケースの凹部の被係合孔にコネクタカバーの延設部（第二係止部）を係合した状態を示す断面図であって、（ｉ）は基板ケースの凹部及びコネクタカバーの断面図（Ａ−Ａ断面図）、（ii）は基板ケースの凹部及びコネクタカバーの断面図（Ｂ−Ｂ断面図）である。
【図１４】基板ケースの凹部にコネクタカバーを装着した状態を示す外観斜視図である。
【図１５】基板ケースの凹部に装着されたコネクタカバーの切断部を切断した状態を示す外観斜視図である。
【図１６】基板ケースの凹部からコネクタカバーの本体を脱抜した状態を示す外観斜視図である。
【図１７】複数のコネクタが内部に露出した凹部が形成されている基板ケースと、その凹部に装着可能なコネクタカバーの構成を示す外観斜視図である。
【発明を実施するための形態】
【００１２】
以下、本発明に係る遊技機の好ましい実施形態について、各図を参照して説明する。
【００１３】
［遊技機］
コネクタカバーを備える遊技機には、スロットマシン、パチンコ機、パロットなど様々な種類があるが、本実施形態では、本発明をスロットマシンに適用した場合について説明する。
【００１４】
本実施形態のスロットマシン１は、複数のリールを回転させることによって遊技媒体であるメダルを獲得できる回胴式遊技機として構成されており、遊技の進行を制御する制御基板が備えられ、この制御基板に実装されたコネクタにコネクタカバーが装着される構成となっている。
以下、本実施形態に係るスロットマシン１について図１〜図３を参照しながら詳述する。
【００１５】
これらの図に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成された主制御部９、主制御部９からの指令により、スピーカ８，ＬＥＤ等のランプ類を制御する副制御部１０、及び必要な機械，装置等が収納されている。
【００１６】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１７】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ下部には、効果音、音声等が出力されるスピーカ８が設けられている。
【００１８】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ２ｂにより検出されるとともに、ホッパー７ａに誘導されるようになっている。
【００１９】
主制御部９は、メインＣＰＵ、メインＲＯＭ、メインＲＡＭなどが一体化された制御用チップの搭載された主基板、これを収容する基板ケース等から構成され、上記の各操作手段からの信号やメダルセレクタ２ｂからの信号に基づき、ドラムユニット４、メダル払出装置７などの各装置を制御することで、以下のようなスロットマシン遊技を進行させる。
【００２０】
具体的には、遊技者によりメダル投入口２からメダルが投入されると、メダルがメダルセレクタ２ｂにより検出され、検出信号が主制御部９に入力される。また、ベットボタン２ａが操作された場合は、その操作信号が主制御部９に入力される。主制御部９は、これらの信号の入力の有無からゲーム可能なメダル数を監視するとともに、スタートレバー３の操作を監視する。
ゲーム可能なメダル数となったときに、スタートレバー３が操作されると、主制御部９は、ドラムユニット４を駆動して、各リール４１ａ，４１ｂ，４１ｃを回転させる制御を行う。
【００２１】
さらに、主制御部９は、スタートレバー３が操作されたときに、ボーナス役、小役、再遊技役、ハズレの複数の抽選対象の中から今回ゲームの当選対象を抽選する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２２】
また、主制御部９は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２３】
このような内容でスロットマシン遊技が進行すると、この遊技の内容に応じた所定の演出、例えば大当りに入賞したときに、前扉１ａに配設されたＬＥＤランプ等を点灯させたり、あるいは、スピーカ８から所定の効果音を出力させるなどしてその入賞を祝福するといった演出が副制御部１０による制御により実行される。
副制御部１０は、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどの様々な電子部品などが実装された制御基板１１を備え、この制御基板１１が透明の基板ケース１２に収容された状態で、スロットマシン１の前扉１ａの裏面上部、又は、筐体１ｂの内部壁面に取り付けられている。
【００２４】
ここで、制御基板１１を収容する基板ケース１２は、深さの浅い凹状のケース部材を二枚重ね合わせ、この中空内部にその制御基板１１を収容するようになっている。
また、制御基板１１には、図４に示すように、スロットマシン１内の種々の装置と接続するための基板側コネクタ３１が実装されている。
この基板側コネクタ３１に対しては、上方からケーブル側コネクタ３２が接続される。このため、制御基板１１を収容する基板ケース１２には、基板側コネクタ３１の実装位置に対応した部分に開口したコネクタ孔１３が形成されており（図５参照）、基板ケース１２が閉じた状態では、基板側コネクタ３１がコネクタ孔１３から露出して、ケーブル側コネクタ３２の嵌合を可能としている。
【００２５】
ところで、制御基板１１においては、基板側コネクタ３１からケーブル側コネクタ３２を取り外し、その基板側コネクタ３１に不正基板等の不正部品を取り付けたり、正規な制御基板１１を不正改造基板に交換したりして、スロットマシン１における遊技特性（例えば、出玉率）を変更し、メダルを不正に払い出させるという行為が行われることがあった。
そこで、本実施形態の遊技機１は、基板側コネクタ３１とケーブル側コネクタ３２が接続された状態でコネクタカバー５０を装着することで、ケーブル側コネクタ３２を脱抜不能とし、不正部品の取り付けを不可能としている。
以下、本実施形態のコネクタ３０とコネクタカバー５０の構成について、図４〜図１２を参照しつつ説明する。
【００２６】
［コネクタ］
コネクタ３０は、図４に示すように、ケーブル側コネクタ３２と、基板側コネクタ３１とを有している。
【００２７】
ケーブル側コネクタ３２は、スロットマシン１に設けられた諸装置と副制御部１０との間で所定の信号を送受信するためのワイヤハーネス４０が接続された直方体状の接続部材である。
ワイヤハーネス４０は、複数本の電線が束ねられた集合電線であって、ケーブル側コネクタ３２の本体部３２１の上面３２２から上方へ延伸するように接続されている。
【００２８】
基板側コネクタ３１は、上面に開口３１２が形成された中空で直方体状の本体部３１１と、この本体部３１１の中空内部である凹設部３１３の底面に立設された複数本のピン３１４とを有している。
本体部３１１の開口３１２には、ケーブル側コネクタ３２が挿抜可能に嵌合するようになっている。
【００２９】
基板側コネクタ３１は、制御基板１１に実装されるが、制御基板１１が基板ケース１２に収容されたときには、その基板ケース１２に形成されたコネクタ孔１３を通して外部に露出した状態となる。
この露出した状態の基板側コネクタ３１に対して、ケーブル側コネクタ３２が嵌合され、さらに、これらコネクタ３０に対する不正行為を防止するために、その上方であって、基板ケース１２のコネクタ孔１３を覆う位置にコネクタカバー５０が装着される。
次に、コネクタカバー５０が装着される基板ケース１２の構成について、図４〜図６を参照して説明する。
【００３０】
［基板ケース］
基板ケース１２は、深さの浅い凹状のケース部材を二枚重ね合わせ、この中空内部に制御基板１１を収容可能とした合成樹脂製の射出成形品である。
基板ケース１２は、制御基板１１の一方の面を覆う下側ケース１２ａと、他方の面を覆う上側ケース１２ｂの二つのケース部材で構成されており、これら下側ケース１２ａと上側ケース１２ｂとを開封不能に封止する封止機構（図示せず）が所定の箇所に形成されている。
【００３１】
基板ケース１２に収容される制御基板１１には、所定の箇所に基板側コネクタ３１が実装されている。そして、基板ケース１２の上側ケース１２ｂにおいては、収容された制御基板１１に実装されている基板側コネクタ３１に対応した箇所に、その基板側コネクタ３１が挿通可能な程度の大きさで開口したコネクタ孔１３が穿設されている。
このため、下側ケース１２ａの凹状内部に制御基板１１を収容した状態で、上側ケース１２ｂをその下側ケース１２ａの凹状の開口側に重ね合わせると、その制御基板１１に実装された基板側コネクタ３１が、上側ケース１２ｂに形成されたコネクタ孔１３を通して外部に露出するようになっている。
【００３２】
上側ケース１２ｂにおいて、穿設されたコネクタ孔１３の周囲は、そのコネクタ孔１３が底部に位置するように陥没した形状の凹部２０が凹設されている。
凹部２０は、上側ケース１２ｂにおいて当該凹部２０が形成された面である凹部形成面１２ｃをその上方から見たときに矩形状に形成されており、この矩形状の凹部２０にコネクタカバー５０が嵌入した状態で装着されるようになっている。
【００３３】
凹部２０は、コネクタ孔１３が形成された底部２５と、この底部２５の周囲四辺のそれぞれと上側ケース１２ｂの凹部形成面１２ｃとの間に位置する四つの側面部２１〜２４とで囲まれた矩形凹状に形成されている。また、凹部２０は、上側ケース１２ｂの凹部形成面１２ｃと同一面において開口している。
ここで、説明の便宜上、四つの側面部をそれぞれ第一側面部２１〜第四側面部２４とする。また、基板ケース１２をスロットマシン１の前扉１ａの裏面上部に取り付けた状態を想定し（図２参照）、向かって左側の側面部を第一側面部２１とし、この第一側面部２１に対向する、向かって右側の側面部を第二側面部２２とし、向かって上側の側面部を第三側面部２３とし、向かって下側の側面部を第四側面部２４とする。
【００３４】
第一側面部２１において底部２５に接する辺を底部側端辺２１１とし、当該第一側面部２１において底部側端辺２１１に対向する辺を開口側端辺２１２としたときに、この開口側端辺２１２を起点として底部側端辺２１１に向かう方向に板状の被係止突部２１３が第一被係止部として延設されており、この被係止突部２１３の延設方向端部と底部側端辺２１１との間には、開口である被係合孔２１４が第一被係止部として穿設されている。なお、被係合孔２１４は、本実施形態においては、開口した孔状に形成されているが、孔状に限るものではなく、底部や側部を有する凹状に形成してもよい。
【００３５】
第二側面部２２において底部２５に接する辺を底部側端辺２２１とし、当該第二側面部２２において底部側端辺２２１に対向する辺を開口側端辺２２２とし、当該第二側面部２２において第三側面部２３に接する辺を第三端辺２２３とし、当該第二側面部２２において第四側面部２４に接する辺を第四端辺２２４としたときに、第三端辺２２３を起点として第四端辺２２４に向かう方向に板状の第一壁部２２５が延設され、第四端辺２２４を起点として第三端辺２２３に向かう方向に板状の第二壁部２２６が延設され、開口側端辺２２２を起点として底部側端辺２２１に向かう方向に板状の被係止突部２２７が第二被係止部の縁部として延設されている。
また、第二側面部２２において、第一壁部２２５の延設方向端部と第二壁部２２６の延設方向端部と被係止突部２２７の延設方向端部と底部側端辺２２１とで囲まれた部分には、開口である被係合孔２２８が第二被係止部として穿設されている。
さらに、第一壁部２２５の延設方向端部と第二壁部２２６の延設方向端部には、凹部２０の内部に向かう方向に立設した立設部２７が形成されている。
【００３６】
底部２５には、第三側面部２３と第四側面部２４とを繋ぐように複数本の板状のリブ２６が立設形成されている。
なお、本実施形態において、リブ２６は、三つ形成されているものとし、第一側面部２１に近いものから配置順に、第一リブ２６ａ、第二リブ２６ｂ、第三リブ２６ｃとする。
底部２５において、第三リブ２６ｃ（第二側面部２２に最も近い位置に形成されたリブ２６）と第二側面部２２の底部側端辺２２１との間には、その第三リブ２６ｃの側面から第二側面部２２の底部側端辺２２１に向かう方向に傾斜した傾斜部２８が形成されている。
【００３７】
このような形状を有する凹部２０が形成された上側ケース１２ｂにおいては、当該凹部２０の第一側面部２１を起点として、凹部２０の外方に向かう方向に溝状のケーブル用溝１４が形成されている。
ケーブル用溝１４は、基板側コネクタ３１に嵌合したケーブル側コネクタ３２の上面３２２に延伸接続されているワイヤハーネス４０を収納するための凹設部分である。
【００３８】
このような構成を備えた基板ケース１２の凹部２０には、コネクタカバー５０が装着される。
以下、コネクタカバー５０の構成について、図７を参照して説明する。
【００３９】
［コネクタカバー］
コネクタカバー５０は、基板ケース１２の凹部２０に嵌入することで装着され、この嵌入状態でコネクタ３０の上部を覆う透明なカバー部材である。
このように、コネクタカバー５０の全体を透明とすることにより、当該コネクタカバー５０により覆われる基板側コネクタ３１とケーブル側コネクタ３２との接続状態や、ケーブル側コネクタ３２の上面３２２におけるワイヤハーネス４０の接続状態を、コネクタカバー５０の外部から確認することができる。
【００４０】
コネクタカバー５０は、底部５７に開口を有する中空で直方体状のカバー本体５１と、カバー本体５１の一の外側面から外方へ延設された第一係止部である突設部５２１と、カバー本体５１における一の外側面とは反対側の外側面から外方へ延設された第二係止部である延設部５４とで構成されている。
【００４１】
突設部５２１は、直方体状であるカバー本体５１の四つの側面のうちの一の側面に位置する第一側面部５２の外側面から直交外方へ延設された板状の延伸部５２２と、この延伸部５２２の先端から上方へ向かって鉤状に屈曲した鉤状部５２３とを有して構成されている。
【００４２】
延設部５４は、カバー本体５１の第二側面部５３（カバー本体５１において第一側面部５２とは反対側の側面部）の外側面から直交外方へ延設された第一延伸部５４１と、第一延伸部５４１の延伸方向端部から下方向へ屈曲した第一屈曲部５４２と、第一屈曲部５４２から下方向へ延設された第二延伸部５４３と、第二延伸部５４３の下側端部からＵ字状又はＶ字状に大きく屈曲した第二屈曲部５４４と、第二屈曲部５４４の端部から上方向へ延設された第三延伸部５４５とを有して形成されている。
【００４３】
このような形状を有するコネクタカバー５０は、基板ケース１２に形成された凹部２０に対して、以下に説明する手順で装着される。この凹部２０に対するコネクタカバー５０の装着手順について、図８〜図１３を参照して説明する。
前提として、基板ケース１２の内部に制御基板１１が収容されており、その制御基板１１に実装された基板側コネクタ３１が、基板ケース１２のコネクタ孔１３を通して凹部２０の内部に露出した状態となっているものとする。
また、基板ケース１２のコネクタ孔１３から露出した基板側コネクタ３１に対しては、ケーブル側コネクタ３２が嵌合されており、このケーブル側コネクタ３２の上面３２２から延伸接続されたワイヤハーネス４０が、基板ケース１２のケーブル用溝１４に収納されているものとする。
なお、図８〜図１０、図１３（ii）においては、基板ケース１２の凹部２０とコネクタカバー５０との関係を確認容易とするために、ワイヤハーネス４０は、省略してある。
また、図１１（ｉ）、（ii）、図１２（ｉ）、（ii）、図１３（ｉ）においては、ケーブル側コネクタ３２とワイヤハーネス４０を省略してある。
【００４４】
まず、コネクタカバー５０の底部５７の開口が基板ケース１２の凹部２０の上面開口に対向するように、そのコネクタカバー５０を凹部２０の上方に位置させる（図８）。
次いで、コネクタカバー５０の突設部５２１を、凹部２０の第一側面部２１の被係合孔２１４に挿入する（図９）。これにより、コネクタカバー５０における突設部５２１の延伸部５２２及び鉤状部５２３が、凹部２０の第一側面部２１における被係止突部２１３に係止した状態となる（図１１（ｉ）参照）。
【００４５】
続いて、凹部２０の被係止突部２１３の延設方向端部を中心としてコネクタカバー５０を回動させることで、当該コネクタカバー５０の下部を凹部２０の内部に入れ込む（図１０。なお、被係止突部２１３については、図１１（ｉ）参照）。
このようにコネクタカバー５０の下部を凹部２０に挿入した状態における凹部２０及びコネクタカバー５０の断面図を、図１１（ｉ）、（ii）に示す。図１１（ｉ）に示す凹部２０は、図５に示す「Ａ−Ａ」の位置で切断した状態の凹部２０の断面図であり、図１１（ｉ）に示すコネクタカバー５０は、図７（ｉ）に示す「ａ−ａ」の位置で切断した状態のコネクタカバー５０の断面図である。また、図１１（ii）に示す凹部２０は、図５に示す「Ｂ−Ｂ」の位置で切断した状態の凹部２０の断面図であり、図１１（ii）に示すコネクタカバー５０は、図７（ｉ）に示す「ｂ−ｂ」の位置で切断した状態のコネクタカバー５０の断面図である。図１２（ｉ）、（ii）、図１３（ｉ）、（ii）においても同様である。
【００４６】
図１１（ｉ）に示すように、コネクタカバー５０の突設部５２１は、凹部２０の第一側面部２１の被係合孔２１４に挿入されるとともに、被係止突部２１３に係止している。また、コネクタカバー５０の第一側面部５２の外側面が、凹部２０の被係止突部２１３の表面に近接又は接触した状態となっている。
また、図１１（ii）に示す状態においては、コネクタカバー５０の延設部５４において凹部２０の底部２５に近接した部分である第二延伸部５４３の裏面の下部及び第二屈曲部５４４の下面が、凹部２０の第三リブ２６ｃ及び傾斜部２８の傾斜面に接触している。
さらに、図１１（ii）に示す状態においては、コネクタカバー５０の延設部５４の第三延伸部５４５の外側面が凹部２０の第二側面部２２の被係止突部２２７の表面に接触又は近接した状態となっている。
【００４７】
そして、この状態から、コネクタカバー５０を、凹部２０の内部へさらに押し込む（図１２（ｉ）、（ii））。
そうすると、コネクタカバー５０の延設部５４の第三延伸部５４５が、凹部２０の第二側面部２２の被係止突部２２７からの抗力を受けて第二延伸部５４３に近づく方向へ弾性変形しながら、被係合孔２２８の内部に向かって進入する。
ここで、延設部５４においては、被係止突部２２７からの抗力を受けると、第三延伸部５４５及び第二屈曲部５４４が弾性変形部として弾性変形し、延設部５４における他の部分は弾性変形しない。これは、第二屈曲部５４４がＵ字状又はＶ字状に形成されているとともに、第三延伸部５４５の厚みが、延設部５４における他の部分の厚みよりも薄く形成されているためである。なお、第三延伸部５４５が弾性変形容易とするために、コネクタカバー５０は、弾性変形可能な材料、例えば、ＡＢＳ樹脂などを用いて形成することが望ましい。
【００４８】
そして、第三延伸部５４５の延伸方向先端が被係止突部２２７の下端を通過すると（図１３（ｉ）、（ii））、第三延伸部５４５に対する被係止突部２２７からの抗力が加わらなくなって、第三延伸部５４５の形状が元の形状に復帰し、この第三延伸部５４５の延伸方向先端の端面と被係止突部２２７の下端の端面が対向する。
この状態に達した時点で、凹部２０へのコネクタカバー５０の装着が完了する。
このように、凹部２０に装着されたコネクタカバー５０は、凹部２０の底部２５に形成されたコネクタ孔１３から露出するコネクタ３０を覆い隠している（図１３（ii）参照）。これにより、外部からのコネクタ３０へのアクセスを困難なものとしている。
【００４９】
また、凹部２０に装着されたコネクタカバー５０は、凹部２０から脱抜不能となっている。その理由は、次の通りである。
凹部２０に装着されたコネクタカバー５０は、突設部５２１が凹部２０の第一側面部２１の被係止突部２１３に係止し、かつ、延設部５４が凹部２０の第二側面部２２の被係止突部２２７に係止した状態となっている。つまり、コネクタカバー５０において対向する二つの側面部２１、２２のそれぞれの外側面から外方に延伸形成された突設部５２１と延設部５４が、凹部２０の被係止突部２１３又は被係止突部２２７にそれぞれ係止していることから、コネクタカバー５０は、凹部２０から脱抜不能となっている。
この脱抜不能となっている構造上の理由について、さらに説明する。例えば、コネクタカバー５０を凹部２０から脱抜する方向（コネクタカバー５０を凹部２０へ装着した方向とは反対の方向）へ引き上げようとした場合、コネクタカバー５０の第三延伸部５４５の延伸方向先端の端面が凹部２０の被係止突部２２７の下端の端面に当接し、かつ、コネクタカバー５０の突設部５２１の延伸部５２２の上面が凹部２０の被係止突部２１３の下端の端面に当接する。このように、コネクタカバー５０を脱抜しようとしても、突設部５２１が被係止突部２１３に当接するととも、延設部５４が被係止突部２２７に係止することから、コネクタカバー５０は、凹部２０から脱抜不能となっている。
【００５０】
また、凹部２０の第一側面部２１に形成された二つの被係合孔２１４のそれぞれにおいて第一側面部２１の開口側端辺２１２に対して平行した方向の長さをｓ１とし（図５参照）、コネクタカバー５０の突設部５２１における延伸部５２２の幅（コネクタカバー５０の第一側面部５２の外側面から延伸部５２２が延伸する方向に対して直交した方向であって、延伸部５２２の上面に平行した方向の当該延伸部５２２の幅）をｓ２とすると（図７（ｉ）参照）、ｓ１とｓ２は、略同じ長さ、あるいは、ｓ１の方が若干長い程度の長さとなっている。これにより、コネクタカバー５０は、凹部２０に装着された状態において、ｓ１方向又はｓ２方向への移動が制限されている。
さらに、凹部２０の第二側面部２２に形成された被係合孔２２８において第二側面部２２の開口側端辺２２２に対して平行した方向の長さをｔ１とし（図５参照）、コネクタカバー５０の延設部５４における第三延伸部５４５の幅（被係合孔２２８に挿入するときの第三延伸部５４５におけるｔ１と同一方向の当該第三延伸部５４５の幅）をｔ２とすると（図７（ｉ）参照）、ｔ１とｔ２は、略同じ長さ、あるいは、ｔ１の方が若干長い程度の長さとなっている。これによっても、コネクタカバー５０は、凹部２０に装着された状態において、ｔ１方向又はｔ２方向への移動が制限されている。
【００５１】
また、凹部２０にコネクタカバー５０が装着された状態において、凹部２０の第三側面部２３に対向するコネクタカバー５０の側面部を第三側面部５５とし、凹部２０の第四側面部２４に対向するコネクタカバー５０の側面部を第四側面部５６とし、凹部２０における第三側面部２３と第四側面部２４との間の長さをｕ１とし（図５参照）、コネクタカバー５０の第三側面部５５と第四側面部５６との間の長さをｕ２としたときに（図７（ｉ）参照）、ｕ１とｕ２は、略同じ長さ、あるいは、ｕ１の方が若干長い程度となっている。これにより、凹部２０の第三側面部２３とコネクタカバー５０の第三側面部５５との間、及び、凹部２０の第四側面部２４とコネクタカバー５０の第四側面部５６との間は、それぞれ非常に接近し、あるいは、接触しているので、ここに不正な工具を挿入してコネクタカバー５０を不正に取り外そうとする行為を阻止できる。
【００５２】
また、凹部２０における第一側面部２１と第二側面部２２との間の長さをｖ１とし（図５参照）、コネクタカバー５０における第一側面部５２と延設部５４の第三延伸部５４５の外側面との間の長さをｖ２としたときに（図７（ｉ）参照）、ｖ１とｖ２は、略同じ長さ、あるいは、ｖ１の方が若干長くなっている。これは、コネクタカバー５０を凹部２０に装着する場合において、コネクタカバー５０の突設部５２１を凹部２０の第一側面部２１の被係合孔２１４に挿入した状態で当該コネクタカバー５０の底部５７を凹部２０に挿入したときに、コネクタカバー５０の延設部５４を凹部２０の内部に入れ込む必要があるためである。
ただし、その延設部５４の第三延伸部５４５が凹部２０の被係合孔２２８に挿入されると、コネクタカバー５０がその挿入方向に移動する。そうすると、コネクタカバー５０の第一側面部５２の外側面と凹部２０の第一側面部２１との間に隙間ができる。このため、コネクタカバー５０の装着完了後は、当該コネクタカバー５０がその隙間の分だけ移動容易なガタついた状態、いわゆる遊びのある状態となってしまう。そして、このようなガタつきがあることにより、凹部２０の第二側面部２２の被係止突部２２７に対するコネクタカバー５０の延設部５４による係止が外れてしまうことがある。つまり、凹部２０の被係止突部２２７とコネクタカバー５０の延設部５４とが係止した状態とは、凹部２０の被係止突部２２７の下端の端面とコネクタカバー５０の延設部５４における第三延伸部５４５の延伸方向先端の端面が対向した状態をいうが、上記のガタつきがあることによって凹部２０の第一側面部２１とコネクタカバー５０の第一側面部５２の外側面とが近づく方向にコネクタカバー５０が移動すると、当該コネクタカバー５０の延設部５４の第三延伸部５４５が上記の対向位置から外れてしまい、凹部２０の上面開口に向かって露出するところまで移動してしまって、当該コネクタカバー５０が凹部２０から脱離可能な状態となってしまう。
【００５３】
そこで、コネクタカバー５０の底部５７に凸状の突出部５５１、５６１を突設形成し、これら突出部５５１、５６１を第二リブ２６ｂと第三リブ２６ｃとの間に嵌合させることとした。これにより、コネクタカバー５０が上記の移動容易な方向（コネクタカバー５０が凹部２０における第一側面部２１又は第二側面部２２に向かう方向）に移動しようとすると、突出部５５１、５６１が第二リブ２６ｂ又は第三リブ２６ｃに接触するので、これら第二リブ２６ｂ又は第三リブ２６ｃが突出部５５１、５６１の移動を防止する移動防止壁として機能するため、その移動が制限される。これにより、コネクタカバー５０のガタつきが防止される。そして、このようにガタつきが防止されることで、コネクタカバー５０の延設部５４の第三延伸部５４５が、上記の対向位置から外れることなく定置される。これにより、コネクタカバー５０が凹部２０から脱離するのを防止できる。
【００５４】
なお、突出部５５１、５６１は、図７（ii）、（iv）においては、コネクタカバー５０の底部５７における第二側面部５３の近傍に形成されているが、第二側面部５３の近傍に限るものではなく、底部５７における任意の箇所に形成することができる。ただし、凹部２０においては、コネクタカバー５０の移動に伴って突出部５５１、５６１が当接する位置にリブ２６を形成することが望ましい。
また、凹部２０の底部２５においては、第二リブ２６ｂと第三リブ２６ｃが突出部５５１、５６１の移動を防止する移動防止壁として形成されているが、これら第二リブ２６ｂと第三リブ２６ｃは、コネクタカバー５０が凹部２０に装着されたときに、突出部５５１、５６１が接触又は近接する箇所に形成される。
【００５５】
また、図１３（ｉ）、（ii）に示す状態においては、コネクタカバー５０の底部５７が第一リブ２６ａと第二リブ２６ｂのそれぞれの上面に接触していることから、コネクタカバー５０は、これ以上の凹部２０の内部への進入が制限されている。
さらに、凹部２０における底部２５の上面から第一リブ２６ａの上端面までの高さをｗ１１とし、底部２５の上面から被係止突部２１３の延伸方向端部までの高さをｗ１２としたときに（図６（ｉ）参照）、ｗ１２からｗ１１を差し引いた長さは、コネクタカバー５０の突設部５２１における延伸部５２２の厚みｗ２（図７（ii）参照）と略同じとなっている。これにより、凹部２０に装着されたコネクタカバー５０の脱着方向へのガタつきをなくすことができる。
また、凹部２０における第二側面部２２の被係止突部２２７の延伸方向端部と傾斜部２８との間の距離をｘ１とし（図６（ii）参照）、コネクタカバー５０における延設部５４の第三延伸部５４５の先端から第二屈曲部５４４の下面（凹部２０にコネクタカバー５０を装着したときに傾斜部２８が接触する部分）までの距離をｘ２としたときに（図７（ii）参照）、ｘ１とｘ２は、略同じ長さとなっている。これにより、コネクタカバー５０が凹部２０に装着されたときに、当該コネクタカバー５０の脱着方向へのガタつきをなくすことができる。
【００５６】
さらに、凹部２０の第二側面部２２における第一壁部２２５の延設方向端部と第二壁部２２６の延設方向端部には、凹部２０の内部に向かう方向に立設した立設部２７が形成されている。
立設部２７は、第一壁部２２５の延設方向端部においてその端辺に沿って形成されるとともに、第二側面部２２の底部側端辺２２１から開口側端辺２２２に亘る長さで立設形成されている。第二壁部２２６の延設方向端部に形成された立設部２７についても同様である。
【００５７】
このような形状で立設部２７を形成することにより、凹部２０に装着されたコネクタカバー５０の第三延伸部５４５に対する外部からのアクセスを困難としている。
その理由は、次の通りである。凹部２０にコネクタカバー５０が装着された状態では、コネクタカバー５０の延設部５４の第三延伸部５４５が凹部２０の被係止突部２２７に係止しているため、コネクタカバー５０は、凹部２０から脱抜不能となっている。ここで、その係止状態は、コネクタカバー５０の第三延伸部５４５の延伸方向先端の端面が凹部２０の被係止突部２２７の下端の端面に当接することで、係止した状態となっている。このため、その当接状態を解除する、すなわち、延設部５４の第三延伸部５４５を第二延伸部５４３に近づける方向に弾性変形させることにより、その係止が解除されてコネクタカバー５０が脱抜可能となる。
このことを悪用して不正にコネクタカバー５０を脱抜しようとする場合、凹部２０の被係合孔２２８と延設部５４の側面との間に細長い棒状に形成された特定の部材を挿入し、この棒状部材の先端に形成された鉤状の部分を第三延伸部５４５に引っ掛けて、当該棒状部材を引くことで、第三延伸部５４５を第二延伸部５４３に近づけるように弾性変形させて、上述した係止状態を解除して、コネクタカバー５０を脱抜することが考えられる。
そこで、第一壁部２２５の延設方向端部と第二壁部２２６の延設方向端部のそれぞれに立設部２７を形成した。立設部２７は、被係合孔２２８の両側縁部に立設形成されており、当該被係合孔２２８に対するその両側縁部からの不正部材の侵入を阻止している。よって、第三延伸部５４５へのアクセスが困難となり、不正にコネクタカバー５０を取り外そうとする行為を防止できる。
【００５８】
また、コネクタカバー５０が凹部２０に装着された状態においては、コネクタカバー５０の延設部５４における第二延伸部５４３の裏面下部が、凹部２０の底部２５に立設形成された当接部である第三リブ２６ｃに当接するとともに、延設部５４の第二屈曲部５４４の下面が、凹部２０の底部２５に形成された当接部である傾斜部２８に当接した状態となっている。これらにより、コネクタカバー５０を不正に取り外す行為を防止している。
その理由は、次の通りである。コネクタカバー５０が凹部２０に装着された状態においては、コネクタカバー５０の延設部５４の第三延伸部５４５が凹部２０の被係止突部２２７に係止している。そして、この係止を不正に解除する手法としては、上述したように、凹部２０の被係合孔２２８とコネクタカバー５０の延設部５４の側面との間に棒状の部材を挿入し、この棒状部材の先端鉤状部分を延設部５４の第三延伸部５４５に引っ掛けて、当該棒状部材を引くことで、その第三延伸部５４５を弾性変形させて、凹部２０の被係止突部２２７に対する第三延伸部５４５の係止を解除することが考えられる。ところが、その係止を解除するためには、第三延伸部５４５を弾性変形により相当量変位させなければならない。そして、その第三延伸部５４５を相当量変位させるためには、棒状部材を相当の力で強く引かなければならず、当該棒状部材を強く引くことで、この第三延伸部５４５だけでなく第二延伸部５４３も弾性変形し、この第二延伸部５４３の変位量と第三延伸部５４５の変位量がともに当該第三延伸部５４５の移動量となって、凹部２０の被係止突部２２７に対する第三延伸部５４５の係止が解除される。
そこで、このように第二延伸部５４３及び第三延伸部５４５が変位することに着目し、棒状部材が強く引かれても第二延伸部５４３が弾性変形しないような上記構成、すなわち、コネクタカバー５０の延設部５４における第二延伸部５４３の裏面下部が第三リブ２６ｃに当接するとともに、延設部５４の第二屈曲部５４４の下面が傾斜部２８に当接する構成を採用した。これら第三リブ２６ｃと傾斜部２８は、第二延伸部５４３が上記のように弾性変形しようとしたときの当該弾性変形する方向に位置しているため、その第二延伸部５４３の弾性変形を阻止する。つまり、棒状部材を相当強く引いても第三リブ２６ｃ及び傾斜部２８による抑止により第二延伸部５４３が弾性変形しない。よって、この第二延伸部５４３の変位量が０となる。これにより、第三延伸部５４５を変位させるために棒状部材を引く力がさらに必要となることから、その分、上記係止の解除を困難なものとすることができる。よって、コネクタカバー５０を不正に取り外す行為を防止できる。
【００５９】
なお、上記の説明は、凹部２０の被係合孔２２８とコネクタカバー５０の延設部５４の側面との間に棒状の部材を挿入して延設部５４の第三延伸部５４５を弾性変形させたときに、その延設部５４の第二延伸部５４３の弾性変形が抑止されることでコネクタカバー５０の不正な取り外しを防止するという本発明の特徴を説明したものであるが、その第二延伸部５４３の弾性変形は、上記の棒状部材を挿入して起こる場合に限るものではなく、例えば、凹部２０の上部開口から第二延伸部５４３に直接アクセスして弾性変形させる場合も考えられる。
これは、コネクタカバー５０が凹部２０に装着された状態においては、コネクタカバー５０の延設部５４の第二延伸部５４３及び第二屈曲部５４４が、凹部２０の上面開口から見て露出した状態となっていることを悪用するものであり、凹部２０の上部開口から例えば棒状や板状の特定部材を挿入し、第二延伸部５４３又は第二屈曲部５４４に直接アクセスして、第二延伸部５４３の下部をカバー本体５１に向かう方向に弾性変形させて、これらに繋がる第三延伸部５４５をその方向に移動させることで、凹部２０の被係止突部２２７に対する第三延伸部５４５の係止を解除して、コネクタカバー５０を不正に取り外すものである。
しかしながら、そのコネクタカバー５０の延設部５４においては、上述したように、第二延伸部５４３の裏面下部が第三リブ２６ｃに当接しており、しかも、第二屈曲部５４４の下面が傾斜部２８に当接している。これらにより、第二延伸部５４３を弾性変形させようとしても、その弾性変形する方向に第三リブ２６ｃや傾斜部２８が位置しているので、その弾性変形が抑止される。よって、第三延伸部５４５が移動せず、凹部２０の被係止突部２２７に対するコネクタカバー５０の第三延伸部５４５の係止を解除することができないので、コネクタカバー５０を不正に取り外す上記行為を防止できる。
【００６０】
凹部２０に装着されたコネクタカバー５０の内部においては、ケーブル側コネクタ３２の上面３２２から上方へ延伸接続されたワイヤハーネス４０が湾曲した状態で収納されている。
ここで、カバー本体５１の上面部５８の中程には、上方へ隆起した中空の隆起部５８１が形成されており、ケーブル側コネクタ３２の上面３２２から延伸接続されたワイヤハーネス４０が、そのケーブル側コネクタ３２の上面３２２から横方向へ湾曲するように折り曲げられた状態で、その隆起部５８１の中空内部に収納されるようになっている。
【００６１】
また、コネクタカバー５０の第一側面部５２には、その第一側面部５２の下辺から上辺へ向かって切り欠かれた切り欠き５２４が形成されている（図７（iii）参照）。
切り欠き５２４は、その第一側面部５２において延設されている二つの突設部５２１の間に形成されている。
切り欠き５２４は、当該コネクタカバー５０が凹部２０に装着された状態において、基板ケース１２に形成されたケーブル用溝１４の上方に位置し、当該コネクタカバー５０が覆うコネクタ３０の上面３２２から延伸接続されたワイヤハーネス４０を、当該コネクタカバー５０の内部から外部へ引き出し可能とするためのケーブル配設用の凹設部分である。
【００６２】
切り欠き５２４は、コネクタカバー５０を凹部２０に装着する際に、ワイヤハーネス４０をケーブル用溝１４に収納させる機能を有している。例えば、コネクタカバー５０を凹部２０に装着するに際しては、図８に示したように、コネクタカバー５０の底部５７と凹部２０の開口が対向するように、その凹部２０の開口上方にコネクタカバー５０を配置させる。このとき、ワイヤハーネス４０がケーブル用溝１４に完全に収納されておらず、ケーブル用溝１４から少し浮き上がった状態となっているとき、あるいはケーブル用溝１４の上面から離間した位置にあるときは、そのワイヤハーネス４０をコネクタカバー５０の切り欠き５２４に収容し、この収容した状態を維持しつつ、切り欠き５２４の両側に形成された突設部５２１を凹部２０の第一側面部２１の被係合孔２１４に挿入して、当該コネクタカバー５０を凹部２０に装着する。これにより、ワイヤハーネス４０は、コネクタカバー５０の切り欠き５２４に収容された状態でケーブル用溝１４に誘導されて、このケーブル用溝１４の内部に収納される。
【００６３】
特に、コネクタカバー５０の切り欠き５２４は、ワイヤハーネス４０を収容可能な大きさで切り欠かれているため、切り欠き５２４の上辺の辺方向がワイヤハーネス４０の周方向と略一致するように、その切り欠き５２４をワイヤハーネス４０に載せるだけで当該切り欠き５２４にそのワイヤハーネス４０を収容することができる。つまり、ワイヤハーネス４０を手で抑えたり、手で持って支持したりすることなく、当該ワイヤハーネス４０をコネクタカバー５０の切り欠き５２４に簡単に収容できる。よって、凹部２０にコネクタカバー５０を装着するに際しては、そのコネクタカバー５０を片手で持った状態で、そのまま切り欠き５２４にワイヤハーネス４０を収容し、この状態で当該コネクタカバー５０を凹部２０に装着することができるので、一連の装着作業を片手で行うことができ、作業性が非常に良いものとなっている。
【００６４】
また、図１３（ii）に示すように、コネクタカバー５０が凹部２０に装着された状態においては、制御基板１１の表面からコネクタカバー５０の第一側面部５２における切り欠き５２４の上辺までの高さｙ１が、その制御基板１１に実装されたコネクタ３０の底面から上面までの高さｙ２よりも低くなっている。なお、高さｙ２とは、基板側コネクタ３１にケーブル側コネクタ３２が嵌合された状態における、基板側コネクタ３１の底面からケーブル側コネクタ３２の上面３２２までの高さをいう。
このような形状とすることにより、コネクタ３０に対する外部からのアクセスを困難なものとしている。すなわち、凹部２０にコネクタカバー５０が装着された状態において、このコネクタカバー５０の切り欠き５２４に細長い棒状の不正部材が挿入された場合に、この不正部材の先端をコネクタ３０の上面３２２に届かせるためには、その不正部材の先端を切り欠き５２４の上辺よりも上方へＳ字状に曲げなければならない。このように棒状部材の先端をＳ字状に曲げながら、さらに棒状部材をコネクタカバー５０の内部へ挿入していくことは極めて困難である。これにより、コネクタ３０に対する外部からのアクセスを困難なものとしている。
【００６５】
以上が凹部２０に対するコネクタカバー５０の装着の手順及び装着されたコネクタカバー５０の機能及び効果であるが、コネクタカバー５０を装着後、制御基板１１について点検等を行う場合には、そのコネクタカバー５０を取り外す必要がある。この場合は、次の手順でその取り外しが行われる。
基板ケース１２の凹部２０には、コネクタカバー５０が装着されている（図１４）。ここで、ニッパーなどの剪断工具を用意して、コネクタカバー５０の延設部５４における第一延伸部５４１又は第一屈曲部５４２を切断部として切断する（図１５）。これにより、コネクタカバー５０のカバー本体５１と延設部５４が分離する。
このとき、カバー本体５１は、凹部２０における被係止突部２２７への係止から解放される。このため、被係合孔２１４から突設部５２１を脱抜することで、カバー本体５１を取り外すことができる（図１６。ただし、被係止突部２２７、被係合孔２１４、突設部５２１については、図１３（ｉ）、（ii）参照）。
一方、延設部５４については、カバー本体５１が凹部２０から取り外された後に、被係合孔２２８から脱抜することで、凹部２０から取り除くことができる。
以上の手順により、コネクタカバー５０を凹部２０から取り外すことができる。そして、基板側コネクタ３１からケーブル側コネクタ３２を取り外すことができ、基板ケース１２を開封することで、制御基板１１の点検等が可能となる。
【００６６】
なお、コネクタカバー５０の延設部５４の第一屈曲部５４２においては、当該第一屈曲部５４２の厚さ方向に貫通孔５３１が穿設されている。貫通孔５３１は、第一屈曲部５４２の切断を容易とするためのものである。例えば、剪断工具としてニッパーを用いて第一屈曲部５４２を切断する場合、そのニッパーを最大まで広げても第一屈曲部５４２の両端に届かせることは困難である。また、コネクタカバー５０の第二側面部５３と延設部５４の第二延伸部５４３との間が狭くなっているため、ここにニッパーの刃先部を挿入することも困難である。そこで、第一屈曲部５４２の中程に貫通孔５３１を穿設することとした。これにより、ニッパーを広げたときに、当該ニッパーの二つの刃をそれぞれ貫通孔５３１と第一屈曲部５４２の一の端部に届かせることができる。よって、当該貫通孔５３１を境として、第一屈曲部５４２を二回に分けて容易に切断することができる。
【００６７】
また、図１５においては、コネクタカバー５０の延設部５４における第一延伸部５４１又は第一屈曲部５４２を切断部として切断することとしているが、凹部２０からコネクタカバー５０を取り外す方法は、この方法に限るものではない。
例えば、コネクタカバー５０のカバー本体５１における所定の箇所、具体的には、上面部５８の隆起部５８１と、この隆起部５８１に繋がる上面部５８と第三側面部５５と第四側面部５６とを薄肉形成しておき、これら薄肉形成した箇所を破壊容易部として、所定の工具を用いて強打破壊することで当該コネクタカバー５０を強制的に分解し、凹部２０から取り外すようにすることもできる。
また、コネクタカバー５０の突設部５２１の延伸部５２２を破壊容易部とし、この延伸部５２２をニッパーなどの剪断工具を用いて剪断破壊することで、当該コネクタカバー５０を凹部２０から取り外し可能としてもよい。
これに加えて、その延伸部５２２を薄肉形成することにより、当該延伸部５２２の剪断破壊をさらに容易なものとすることもできる。
【００６８】
以上説明したように、本実施形態の遊技機１によれば、コネクタカバー５０における一の側面に第一係止部である突設部５２１を形成し、その一の側面とは反対側の側面に第二係止部である延設部５４を形成して、これら突設部５２１と延設部５４をそれぞれ基板ケース１２の凹部２０の側面に係止する構造としたので、先端鉤状の不正部材をコネクタカバー５０の側面下端に引っ掛けて当該コネクタカバー５０を脱抜しようとしても脱抜が困難なことから、不正にコネクタカバー５０を脱抜する行為を確実に阻止できる。
また、基板ケース１２の凹部２０にコネクタカバー５０を嵌入させる構造としたので、嵌入後のコネクタカバー５０の側面が凹部２０の側面によって覆われるようになる。これにより、コネクタカバー５０の側面の下端へのアクセスが困難となるので、その下端に不正部材を進入させてコネクタカバー５０を脱抜しようとする行為を確実に防止できる。
【００６９】
以上、本発明の遊技機の好ましい実施形態について説明したが、本発明に係る遊技機は上述した実施形態にのみ限定されるものではなく、本発明の範囲で種々の変更実施が可能であることは言うまでもない。
例えば、図４に示すコネクタカバー５０は、一つのコネクタ３０を覆うことが可能な大きさで形成されており、その一つのコネクタ３０を挿通可能なコネクタ孔１３が形成された凹部２０に対して装着される構造となっているが、コネクタカバーの構造は、このような構造に限るものではなく、例えば、図１７に示すように、複数のコネクタ３０を一度に覆うことが可能な大きさに形成され、それら複数のコネクタ３０を通すコネクタ孔が形成された凹部２０ａに対して装着可能な構造を有するコネクタカバー５０ａとして形成することもできる。なお、この場合、凹部２０ａの底部２５には、複数のコネクタ３０を挿通可能な一のコネクタ孔１３が形成された構成としてもよく、あるいは、一のコネクタ３０を挿通可能なコネクタ孔１３が複数形成された構成としてもよい。
【００７０】
また、上述した実施形態では、基板ケース１２に収容される制御基板を副制御部１０の制御基板１１としたが、基板ケース１２に収容される制御基板は、副制御部１０の制御基板１１に限るものではなく、主制御部９の主基板であってもよい。つまり、主制御部９の主基板を制御基板として基板ケースに収容し、この基板ケースを基板ケース１２とし、この基板ケース１２に形成されている凹部２０にコネクタカバー５０を装着する構成とすることもできる。
さらに、上述した実施形態では、凹部２０に形成される被係合孔２１４、２２８を貫通した孔状としたが、孔状に限るものではなく、底部や側部を有する凹状に形成することもできる。
【００７１】
また、上述した実施形態では、コネクタカバー５０の第一側面部５２に鉤状の突設部５２１を形成する構造としたが、これに代えて、そのコネクタカバー５０の第一側面部５２に、弾性変形して凹部２０の第一側面部２１の被係合孔２２８に係合する延設部を設けることもできる。この場合、コネクタカバー５０に形成される二つの係止部のいずれもが弾性変形部を有する延設部として構成される。
【００７２】
また、コネクタカバー５０の突設部５２１においては、鉤状部５２３を省略することができる。この場合、コネクタカバー５０の突出部５５１、５６１は、底部５７における第一側面部５２の近傍に設けることが望ましい。
さらに、コネクタカバー５０の突出部５５１、５６１は、省略することができる。
【００７３】
また、上述した実施形態では、コネクタカバー５０の第一側面部５２に鉤状の突設部５２１を形成し、コネクタカバー５０の第二側面部５３に弾性変形部を有する延設部５４を形成し、一方、凹部２０の第一側面部２１に被係合孔２１４を形成し、凹部２０の第二側面部２２に被係合孔２２８を形成する構成としたが、この構成に代えて、例えば、凹部２０の第一側面部２１と第二側面部２２のそれぞれに弾性変形部を有する延設部を形成し、一方、コネクタカバー５０の第一側面部５２と第二側面部５３のそれぞれに、凹部の弾性変形部が係止可能な被係合孔を形成した構成としてもよい。
【符号の説明】
【００７５】
１  スロットマシン（遊技機）
１０  副制御部
１１  制御基板
１２  基板ケース
１３  コネクタ孔
１４  ケーブル用溝
２０  凹部
２１  第一側面部
２１３  被係止突部
２１４  被係合孔
２２  第二側面部
２２７  被係止突部
２２８  被係合孔
２６ａ、２６ｂ、２６ｃ  リブ
２７  立設部
２８  傾斜部
３０  コネクタ
４０  ワイヤハーネス（ケーブル）
５０  コネクタカバー
５１  カバー本体
５３  第一側面部
５３１  突設部
５３２  延伸部
５３３  鉤状部
５３４  切り欠き
５４  第二側面部
５５  延設部
５５１  第一延伸部
５５２  第一屈曲部
５５３  第二延伸部
５５４  第二屈曲部
５５５  第三延伸部
５６１、５７１  突出部
【図１】
0005982639.tif 000002
【図２】
0005982639.tif 000003
【図３】
0005982639.tif 000004
【図４】
0005982639.tif 000005
【図５】
0005982639.tif 000006
【図６】
0005982639.tif 000007
【図７】
0005982639.tif 000008
【図８】
0005982639.tif 000009
【図９】
0005982639.tif 000010
【図１０】
0005982639.tif 000011
【図１１】
0005982639.tif 000012
【図１２】
0005982639.tif 000013
【図１３】
0005982639.tif 000014
【図１４】
0005982639.tif 000015
【図１５】
0005982639.tif 000016
【図１６】
0005982639.tif 000017
【図１７】
0005982639.tif 000018